(57)【特許請求の範囲】
【請求項１】
一方のプレキャストコンクリート材に雄ジョイントレール材が一体的に設けられると共に、もう一方のプレキャストコンクリート材に雌ジョイントレール材が一体的に設けられ、
前記雄ジョイントレール材は、ベース部の幅方向中央部にくびれ部を備えると共に、該くびれ部の先端側に側方に突出する側方突出部を備えたものからなっており、
前記雌ジョイントレール材は、ベース部の背後に膨出部が一体に備えられていて、ベース部の側に開口し膨出部の側に及ぶ凹所が設けられ、該凹所は、雄ジョイントレール材のくびれ部と側方突出部とに対応する段付きの奥広がりの凹所に形成されていて、
これら雌雄のジョイントレール材がスライド嵌合されて、隣り合うプレキャストコンクリート材同士が離間不能に係合されており、かつ、
前記雄ジョイントレール材のベース部の外面部には、くびれ部を貫通してベース部を横切る貫通の溝が設けられると共に、雌ジョイントレール材のベース部の外面部には、ベース部を横切る貫通の溝が設けられ、雌雄のジョイントレール材がスライド嵌合された状態で前記両溝によって貫通のピン打込み孔が形成されており、
該打込み孔は、ジョイントレール材の長手方向に沿う間隔をおいた複数位置に設けられていて、
それらの各ピン打込み孔にピンが打ち込まれることで前記雌雄のジョイントレール材が離間方向に強制変位し、雄ジョイントレール材の側方突出部と、雌ジョイントレール材の凹所内におけるくびれ対応部分と側方突出部分との間の段部とが押し合い状態に締め合わされて、プレキャストコンクリート材同士がジョイント一体化されていることを特徴とするプレキャストコンクリート材同士のジョイント構造。
【発明の詳細な説明】
【技術分野】
【０００１】
本発明は、建物のコンクリート基礎の施工などに用いられる、プレキャストコンクリート材同士のジョイント構造に関する。
【背景技術】
【０００２】
建物のコンクリート布基礎の施工に用いられる、プレキャストコンクリート基礎材同士のジョイント方法として、プレキャストコンクリート基礎材同士を金物とボルト、ナット等を用いてジョイントし、基礎材間にジョイントによって生じる大きな隙間にコンクリートや無収縮モルタルを充填したり、あるいは、プレキャストコンクリート基礎材をジョイント部で鉄筋の定着をし、そこにコンクリートを打設することは、従来より行われている。
【特許文献１】特開２００５−３１５０３５号公報
【発明の開示】
【発明が解決しようとする課題】
【０００３】
しかしながら、いずれの方法も、コンクリートや無収縮モルタルの充填、打設を行わなければプレキャストコンクリート基礎材間に見苦しい隙間を生じてしまい、そのため、コンクリートや無収縮モルタルの養生期間が必要となって、工期を遅らせてしまうという問題がある。また、金物とボルト、ナットを用いたジョイント方法や、鉄筋定着法では、ジョイントに手間を要するという問題もある。更に、プレキャストコンクリート基礎材をジョイントして形成された基礎の解体も容易ではないという問題もある。
【０００４】
本発明は、上記のような問題点に鑑み、プレキャストコンクリート材同士を短工期で容易にジョイントすることができ、また、解体も容易に行うことができる、プレキャストコンクリート材同士のジョイント構造を提供することを課題とする。
【課題を解決するための手段】
【０００５】
上記の課題は、一方のプレキャストコンクリート材に、くびれ部を介して先端側が側方に突出する雄ジョイントレール材が一体的に設けられると共に、
もう一方のプレキャストコンクリート材に、前記雄ジョイントレール材のくびれ部と側方突出部とに対応する奥拡がりの凹所が備えられた雌ジョイントレール材が一体的に設けられ、
スライド嵌合状態にされた前記雌雄のジョイントレール材が、それらに打ち込まれたピンで離間方向に強制変位し、雄ジョイントレール材の側方突出部と、雌ジョイントレール材の凹所内におけるくびれ対応部分と側方突出部分との間の段部とが押し合い状態に締め合わされることで、ジョイント一体化されていることを特徴とするプレキャストコンクリート材同士のジョイント構造によって解決される。
【０００６】
このジョイント構造では、雌雄のジョイントレール材同士をスライド嵌合し、側方からピンを打ち込めば、プレキャストコンクリート材同士がジョイントされ、プレキャストコンクリート材同士を容易にジョイントすることができる。
【０００７】
しかも、ピン打込み式であるから、プレキャストコンクリート材間に大きな隙間は必要なく、無収縮モルタルやコンクリートを充填しなくても、見苦しさを生じさせることはなく、プレキャストコンクリート材同士を短工期でジョイントすることができる。
【０００８】
加えて、雌雄のジョイントレール材を、それらに打ち込まれたピンで離間方向に強制変位させ、雄ジョイントレール材の側方突出部と、雌ジョイントレール材の凹所内におけるくびれ対応部分と側方突出部分との間の段部とを押し合い状態に締め合わせた状態にジョイントされているので、レール材同士のスライド嵌合を容易に行うことができるのはもちろん、ピンとこのような締め合わせによって、水平方向の曲げや垂直方向の曲げ、また、せん断などに対して強く耐えることのできるしっかりとしたジョイント構造を形成することができる。
【０００９】
上記の構造において、前記ピンの打込み部が貫通打込み部からなる場合は、解体において、反打込み方向からピンを打撃すればピンを抜くことができ、解体を容易に行うことができる。
【発明の効果】
【００１０】
本発明は、以上のとおりのものであるから、プレキャストコンクリート材同士を短工期で容易にジョイントすることができる。また、解体も容易に行うことができる。
【発明を実施するための最良の形態】
【００１１】
次に、本発明の実施最良形態を図面に基づいて説明する。
【００１２】
図１〜図３に示す実施形態のジョイント構造は、複数のプレキャストコンクリート材１，１をジョイントして布基礎２を形成するのに用いられる場合のもので、３は雄ジョイントレール材、４は雌ジョイントレール材、５…はピンである。
【００１３】
雌雄のジョイントレール材３，４はそれぞれ、プレキャストコンクリート材１，１の立ち上がり部の天面部近くからフーチング部に渡って延びる一本物からなっていて、これらジョイントレール材３，４はそれぞれ、隣り合うプレキャストコンクリート材１，１の向き合う端面部のそれぞれに、内部の鉄筋６…と溶接などにより接合されると共にコンクリート中に一部埋込み状態にされて、予め備えられている。
【００１４】
雄ジョイントレール材３は、図１及び図２に示すように、プレキャストコンクリート材１の鉄筋と接合されるベース部３ａと、ベース部３ａの幅方向中央部に備えられたくびれ部３ｂと、該くびれ部３ｂの先端側において両側方に突出する側方突出部３ｃとを一体に備えて、くびれ部３ｂと側方突出部３ｃとでＴ形をしたものからなっている。
【００１５】
また、雌ジョイントレール材４は、ベース部４ａと、ベース部４ａの背後に備えられた膨出部４ｂとを一体に備えたものからなって、ベース部４ａの一部と膨出部４ｂの全体がプレキャストコンクリート材１のコンクリート中に埋込み状態にされ、膨出部４ｂの側において鉄筋６が接合されている。そして、該雌ジョイントレール材４には、ベース部４ａ側に開口し、膨出部４ｂ側に及ぶ凹所４ｃが備えられ、該凹所４ｃは、雄ジョイントレール材３のくびれ部３ｂと側方突出部３ｃとに対応する段４ｄ付きの凹所に形成され、雌雄のジョイントレール材３，４を、それらの端部同士を向き合わせてスライド嵌合することにより、隣り合うプレキャストコンクリート材１，１が離間不能に係合されるようになされている。
【００１６】
そして、雄ジョイントレール材３のベース部３ａの外面部には、くびれ部３ｂを貫通して該ベース部３ａを横切る貫通の溝３ｄが設けられると共に、雌ジョイントレール材４のベース部４ａの外面部にもベース部４ａを横切る貫通の溝４ｅが設けられており、図３（イ）に示すように、雌雄のジョイントレール材３，４がスライド嵌合した状態で、上記の溝３ｄ，４ｅにより、貫通のピン打込み孔７が形成されるようになされている。
【００１７】
該ピン打込み孔７は、高さ方向の複数位置、本実施形態では３つの位置に分散状態に備えられ、各ピン打込み孔７は、一方からもう一方に向けて細くなるテーパー孔からなっていると共に、ピン５もテーパーピンからなっていて、図３（ロ）に示すように、ピン５を打込み孔７に打ち込むことにより、打込み孔７が左右方向に広げられ、左右のプレキャストコンクリート材１，１、ひいては、雌雄のジョイントレール材３，４が離間方向に強制変位をし、雄ジョイントレール材３の側方突出部３ｃと、雌ジョイントレール材４の凹所４ｃ内の段部４ｄとがくびれ部３ｂを挟む両側において押し合い状態に締め合わされるようになされている。
【００１８】
プレキャストコンクリート材１，１は、これらを相対的に上下させて、図３（イ）に示すように、雌雄のジョイントレール材３，４をスライド嵌合し、しかる後、図３（ロ）に示すように、隣り合うプレキャストコンクリート材１，１間を通じて、上下方向の各ピン打込み孔７にピン５を打ち込めば、雄ジョイントレール材３の側方突出部３ｃと、雌ジョイントレール材４の凹所４ｃ内の段部４ｄとが押し合い状態に締め合わされてジョイントされる。
【００１９】
このように、上記のジョイント構造では、雌雄のジョイントレール材３，４同士をスライド嵌合し、側方からピン５…の打ち込めば、プレキャストコンクリート材１，１同士がジョイントされ、プレキャストコンクリート材１，１同士を容易にジョイントすることができる。
【００２０】
しかも、ピン５を打ち込んでジョイントするものであるから、プレキャストコンクリート材１，１間に大きな隙間は必要なく、無収縮モルタルやコンクリートを充填しなくても、見苦しさを生じさせることがなく、プレキャストコンクリート材１，１同士を短工期でジョイントすることができる。
【００２１】
加えて、ピン５…の打込みで、雄ジョイントレール材３の側方突出部３ｃと、雌ジョイントレール材４の凹所４ｃ内の段部４ｄとが押し合い状態に締め合わされたジョイント構造であるので、レール材３，４同士のスライド嵌合を容易に行うことができるのみならず、各ピン５…が溝合わせ式の打込み孔内に打ち込まれていることで上下方向のせん断力に強く耐えることができると共に、上記のような締め合わせによって、水平方向の曲げや垂直方向の曲げ、また、せん断などに対して強く耐えることのできる、しっかりとした基礎を形成することができる。
【００２２】
また、ピン打込み孔７は貫通しているので、基礎２を解体するときには、反打込み方向からピン５を打撃すればピン５を抜くことができ、基礎２の解体を容易に行うことができる。
【００２３】
以上に、本発明の実施形態を示したが、本発明はこれに限られるものではなく、発明思想を逸脱しない範囲で各種の変更が可能である。例えば、上記の実施形態では、雌雄各１本のジョイントレール材３，４を用いてプレキャストコンクリート材１，１同士をジョイントした場合を示したが、直列及び／又は並列に配置した複数組の短尺、長尺のジョイントレール材を用いてプレキャストコンクリート材同士をジョイントするようにしてもよい。
【００２４】
また、上記の実施形態では、雌雄のジョイントレール材３，４に設けられた溝で貫通のピン打込み孔７が形成されるようになされている場合を示したが、雌雄のジョイントレール材に設けられた孔で貫通のピン打込み孔７が形成されるようになされていてもよい。
【００２５】
更に、側方突出部３ｃと凹所４ｃ内の段部４ｄとの押し合い状態の締め合わせは、ピン打込み孔７とピン５をテーパーにする態様のものに限られない。
【００２６】
また、上記の実施形態では、布基礎用のプレキャストコンクリート材１，１を基礎の延びる方向にジョイントする場合を示したが、本発明のジョイント構造は、基礎に限らず、各種プレキャストコンクリート材同士のジョイントに広く用いることができるものである。
【図面の簡単な説明】
【００２７】
【図１】実施形態のジョイント構造を示す分解斜視図である。
【図２】図（イ）は雄ジョイントレール材の断面平面図、図（ロ）は雌ジョイントレール材の断面平面図である。
【図３】図（イ）及び図（ロ）はジョイント方法を順次に示す断面平面図である。
【符号の説明】
【００２８】
１…プレキャストコンクリート材
３…雄ジョイントレール材
３ｂ…くびれ部
３ｃ…側方突出部
４…雌ジョイントレール材
４ｃ…凹所
４ｄ…段部
５…ピン
７…ピン打込み孔
【図１】
0004805029.tif 000002
【図２】
0004805029.tif 000003
【図３】
0004805029.tif 000004